(57)【要約】      （修正有）【課題】落下を防止することができるケース及び投影装置を提供する。【解決手段】投影装置のケースは、ケース外壁の一つとされる底板１６と、底板１６に形成された孔部に設けられ、筒状部である円筒本体１６１ａを含むインサートナット１６１と、を備える。インサートナット１６１は、ケース外壁の外部側の円筒本体１６１ａの内面に第１雌螺子部１６１ｂが形成され、ケース外壁の内部側に第１雌螺子部１６１ｂよりも呼び径が小さい第２雌螺子部１６１ｃと、フランジ部１６１ｅと、が形成される。【選択図】図６
2020161510.tif 000002
【特許請求の範囲】
【請求項１】
ケース外壁と、
前記ケース外壁に形成された孔部に設けられ、筒状部を含むインサートナットと、
を備え、
前記インサートナットは、前記ケース外壁の外部側の前記筒状部の内面に第１雌螺子部が形成され、前記ケース外壁の内部側に前記第１雌螺子部よりも呼び径が小さい第２雌螺子部と、フランジ部と、が形成されることを特徴とするケース。
【請求項２】
前記インサートナットは、前記第１雌螺子部と前記第２雌螺子部との間に仕切り壁が形成されることを特徴とする請求項１に記載のケース。
【請求項３】
前記第２雌螺子部には、前記ケース外壁の内部側に収められる被収容体が接続する板金部材を介して第１の螺子が螺合することを特徴とする請求項１又は請求項２に記載のケース。
【請求項４】
前記板金部材に形成されるバーリング形状の接続孔から、前記ケース外壁の内面に立設するボス部に亘ってねじ込まれた第２の螺子を有することを特徴とする請求項３に記載のケース。
【請求項５】
前記板金部材を介して前記ケース外壁に螺子止めされた複数個所のうち、前記インサートナットが設けられた箇所は、一部の箇所であることを特徴とする請求項３又は請求項４に記載のケース。
【請求項６】
請求項１乃至請求項５の何れかに記載のケースと、
光源装置と、
前記光源装置からの光源光が照射され、画像光を形成する表示素子と、
前記表示素子から出射された前記画像光をスクリーンに投影する投影光学系と、
前記表示素子と前記光源装置を制御する投影装置制御部と、
を有することを特徴とする投影装置。
【請求項７】
前記インサートナットが設けられた箇所が１箇所の場合、前記インサートナットが設けられた箇所は装置を平面視した際の重心付近であり、
前記インサートナットが設けられた箇所が２箇所の場合、２箇所の前記インサートナット間を結んだ直線と平面視した装置の重心との距離が近く、
前記インサートナットが設けられた箇所が３箇所以上の場合、各前記インサートナットを結んだ領域の範囲内に、平面視した装置の重心が位置することを特徴とする請求項６に記載の投影装置。
【発明の詳細な説明】
【技術分野】
【０００１】
本発明は、ケース及びこのケースを備えた投影装置に関する。
【背景技術】
【０００２】
従来から、天吊り構造を備えたケース及びこのケースを備えた投影装置が開示されている。例えば、特許文献１には、投影装置のケース内部に収容される光学ケース等の被収容体と接続される板金部材（金属シールド）と、吊り金具等と接続されるインサートナットを備える投影装置が開示される。このインサートナットには、フランジ形状の固定部が形成される。固定部には凹部が形成されて、この凹部を介して螺子により板金部材とインサートナットが固定される。この固定用の螺子は、皿付き螺子とされて、板金部材の雌螺子部と螺合する。
【先行技術文献】
【特許文献】
【０００３】
【特許文献１】特開２０１５−４７８０号公報
【発明の概要】
【発明が解決しようとする課題】
【０００４】
投影装置を天吊り設置した際、油分の多い環境下に長時間さらされると、溶剤が加わったときに生じる亀裂現象であるソルベントクラックが発生し、樹脂ケースの破損により投影装置が落下する恐れがあった。
【０００５】
本発明は、以上の点に鑑み、落下を防止することができるケース及び投影装置を提供することを目的とする。
【課題を解決するための手段】
【０００６】
本発明のケースは、ケース外壁と、前記ケース外壁に形成された孔部に設けられ、筒状部を含むインサートナットと、を備え、前記インサートナットは、前記ケース外壁の外部側の前記筒状部の内面に第１雌螺子部が形成され、前記ケース外壁の内部側に前記第１雌螺子部よりも呼び径が小さい第２雌螺子部と、フランジ部と、が形成されることを特徴とする。
【０００７】
本発明の投影装置は、上述のケースと、光源装置と、前記光源装置からの光源光が照射され、画像光を形成する表示素子と、前記表示素子から出射された前記画像光をスクリーンに投影する投影光学系と、前記表示素子と前記光源装置を制御する投影装置制御部と、を有することを特徴とする。
【発明の効果】
【０００８】
本発明によれば、落下を防止することができるケース及び投影装置を提供することができる。
【図面の簡単な説明】
【０００９】
【図１】本発明の実施形態に係る投影装置の外観斜視図である。
【図２】本発明の実施形態に係る投影装置の底面図である。
【図３】本発明の実施形態に係る投影装置の機能回路ブロックを示す図である。
【図４】本発明の実施形態に係る投影装置の内部構造を示す平面模式図である。
【図５】本発明の実施形態に係る投影装置の光源装置及び光源側光学系周辺の構成を示す平面模式図である。
【図６】本発明の実施形態に係る投影装置における図２のＶＩ−ＶＩ断面図である。
【図７】本発明の実施形態に係る投影装置における図４のＶＩＩ−ＶＩＩ断面図である。
【発明を実施するための形態】
【００１０】
以下、本発明を実施するための形態について述べる。図１、図２に示すように、投影装置１０は、略直方体状に形成される。投影装置１０のケース１には、ケース外壁とされる上面パネル１１、正面パネル１２、背面パネル１３、右側パネル１４、左側パネル１５及び底板１６（底面パネル）が設けられる。以下本実施形態の説明において、投影装置１０における左右とは投影方向に対しての左右方向を示し、前後とは投影装置１０のスクリーン側方向に対しての前後方向を示す。
【００１１】
投影装置１０の上面パネル１１には、キー／インジケータ部３７が設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。
【００１２】
左側パネル１５側に設けられる投影画像調整部１５ａは、一つ又は複数の回動摘みを備える。回動摘みを操作すると、図４で後述する投影光学系２２０の可動レンズの位置が調節され、投影画像の大きさやピントの調整を行うことができる。また、投影装置１０は、リモートコントローラからの制御信号を受信する図示しないＩｒ受信部を備える。
【００１３】
投影装置１０の左前方側の角部には、すり鉢状に窪んだ光出射部１２ａが設けられる。この光出射部１２ａの右側の内面には、長矩形状の複数の孔部により形成された吸気口３１０が設けられる。また、正面パネル１２の下端には、高さ調整ボタン１２ｂが設けられる。投影装置１０は、高さ調整ボタン１２ｂが押下されている間、下面から支脚１２ｃを出没させることができる。高さ調整ボタン１２ｂを操作することにより支脚１２ｃを任意の突出高さで固定し、投影装置１０の投影角度を調節することができる。正面パネル１２及び背面パネル１３の一部を含む左側パネル１５側には、吸気口３２０が設けられる。右側パネル１４には、排気口３３０（図４参照）が設けられる。
【００１４】
背面パネル１３には、ＵＳＢ端子や画像信号入力用のＤ−ＳＵＢ端子、Ｓ端子、ＲＣＡ端子、ＨＤＭＩ（登録商標）端子等を設ける入出力コネクタ部及び電源アダプタプラグ等の各種入出力コネクタ部２１が設けられている（図４参照）。
【００１５】
図３は、投影装置１０の機能回路ブロック図である。投影装置制御部は、制御部３８、入出力インターフェース２２、画像変換部２３、表示エンコーダ２４、表示駆動部２６等から構成される。入出力コネクタ部２１から入力された各種規格の画像信号は、入出力インターフェース２２、システムバスＳＢを介して画像変換部２３で表示に適した所定のフォーマットの画像信号に統一するように変換された後、表示エンコーダ２４に出力される。
【００１６】
また、表示エンコーダ２４は、入力された画像信号をビデオＲＡＭ２５に展開記憶された上でこのビデオＲＡＭ２５の記憶内容からビデオ信号を生成して表示駆動部２６に出力する。
【００１７】
表示駆動部２６は、表示エンコーダ２４から出力された画像信号に対応して適宜のフレームレートで空間的光変調素子（ＳＯＭ）である表示素子５１を駆動する。投影装置１０は、光源装置６０から出射された光線束を、導光光学系を介して表示素子５１に照射することにより、表示素子５１の反射光で光学像を形成し、投影光学系２２０を介して図示しないスクリーンに画像を投影表示する。なお、この投影光学系２２０の可動レンズ群は、レンズモータ４５によりズーム調整やフォーカス調整のための駆動を行うことができる。
【００１８】
また、画像圧縮／伸長部３１は、画像信号の輝度信号及び色差信号をＡＤＣＴ及びハフマン符号化等の処理によりデータ圧縮して着脱自在な記録媒体であるメモリカード３２に順次書き込む記録処理を行う。さらに、画像圧縮／伸長部３１は、再生モード時にメモリカード３２に記録された画像データを読み出し、一連の動画を構成する個々の画像データを１フレーム単位で伸長し、画像変換部２３を介して表示エンコーダ２４に出力する。よって、画像圧縮／伸長部３１は、メモリカード３２に記憶された画像データに基づいて動画等の表示を行うことができる。
【００１９】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成される。
【００２０】
キー／インジケータ部３７は、筐体に設けられるメインキー及びインジケータ等により構成される。キー／インジケータ部３７の操作信号は、制御部３８に直接送出される。また、リモートコントローラからのキー操作信号は、Ｉｒ受信部３５で受信され、Ｉｒ処理部３６でコード信号に復調されて制御部３８に出力される。
【００２１】
制御部３８はシステムバスＳＢを介して音声処理部４７と接続されている。音声処理部４７は、ＰＣＭ音源等の音源回路を備えており、投影モード及び再生モード時には音声データをアナログ化し、スピーカ４８を駆動して拡声放音させる。
【００２２】
制御部３８は、光源制御回路４１を制御している。この光源制御回路４１は、画像生成時に要求される所定波長帯域の光源光が光源装置６０から出射されるように制御する。
【００２３】
また、制御部３８は、冷却ファン駆動制御回路４３に光源装置６０等に設けた複数の温度センサによる温度検出を行わせ、この温度検出の結果から冷却ファンの回転速度を制御する。また、制御部３８は、冷却ファン駆動制御回路４３にタイマー等により投影装置１０本体の電源ＯＦＦ後も冷却ファンの回転を持続させる、あるいは、温度センサによる温度検出の結果によって投影装置１０本体の電源をＯＦＦにする等の制御も行う。
【００２４】
図４は、投影装置１０の内部構造を示す平面模式図である。投影装置１０は、前方側及び中央側に、光源装置６０、光源側光学系１７０及び投影光学系２２０等を備える。光源装置６０は、光学ケース６１を備えて、光源側光学系１７０や投影光学系２２０を構成する光学部材が収められる。また、投影装置１０は、後方側に入出力コネクタ部２１と接続される回路基板２４１や、電源回路ブロックや光源制御ブロック等を含む制御回路基板２４２を備える。光学ケース６１や電源等は、底板１６の内面上に配置される金属シールドとしての板金部材１６２（図６参照）に接続し固定される。板金部材１６２は、底板１６の内面側に立設する複数のボス（不図示）とねじ止めにより底板１６に固定される。
【００２５】
投影装置１０は、筐体の右側パネル１４側の内側に近接して配置された複数の排気ファン４０１〜４０３を備える。各排気ファン４０１〜４０３は、排気口３３０側に空気を送風するように、右側パネル１４と略平行に並設された軸流ファンである。従って、投影装置１０内の全体の冷却風は、吸気口３１０，３２０の形成された左側パネル１５側から、排気口３３０が形成された右側パネル１４側に向かって流通する。
【００２６】
ここで、図５を参照して、光源装置６０及び光源側光学系１７０の構成について説明する。光源装置６０は、青色波長帯域光の光源であって励起光源でもある励起光照射装置７０と、緑色波長帯域光の光源である緑色光源装置８０と、赤色波長帯域光の光源である赤色光源装置１２０と、カラーホイール装置２００とを備える。緑色光源装置８０は、励起光照射装置７０と蛍光ホイール装置１００とにより構成される。
【００２７】
光源装置６０には、各色波長帯域光を導光する導光光学系１４０が配置されている。導光光学系１４０は、励起光照射装置７０、緑色光源装置８０及び赤色光源装置１２０から出射される光を光源側光学系１７０に導光する。
【００２８】
励起光照射装置７０は、投影装置１０の正面パネル１２近傍に配置される。励起光照射装置７０は、素子ホルダ７２に保持される複数の青色レーザダイオード７１、集光レンズ７７，７８及び拡散板７９を備える。青色レーザダイオード７１は、半導体発光素子であり、背面パネル１３と光軸が平行となるよう配置される。励起光照射装置７０は、投影装置１０内に配置された冷却部５００等によって冷却される。励起光照射装置７０とヒートパイプ５１０を介して接続される冷却部５００のヒートシンク５２０は、投影装置１０の前後方向における略中央側に配置される（図４参照）。
【００２９】
上述の光源群は、複数の青色レーザダイオード７１がマトリクス状に配置されて形成される。各青色レーザダイオード７１の光軸上には、青色レーザダイオード７１からの出射光の指向性を高めるように、各々平行光に変換するコリメータレンズ７３が配置される。集光レンズ７７及び集光レンズ７８は、青色レーザダイオード７１から出射される光線束を一方向に縮小して拡散板７９に出射する。拡散板７９は、入射した青色波長帯域光を、蛍光ホイール１０１側に配置された第一ダイクロイックミラー１４１へ拡散透過する。
【００３０】
蛍光ホイール装置１００は、励起光照射装置７０から出射される励起光の光路上であって、正面パネル１２の近傍に配置される。蛍光ホイール装置１００は、蛍光ホイール１０１、モータ１１０、集光レンズ群１１１及び集光レンズ１１５を備える。蛍光ホイール１０１は、蛍光ホイール１０１の上位置にて励起光照射装置７０からの出射光の光軸と直交するように配置される。集光レンズ群１１１及び集光レンズ１１５の下方に配置されるモータ１１０は、蛍光ホイール１０１を回転駆動する。
【００３１】
蛍光ホイール１０１は、円板状に形成され、モータ１１０の駆動により回転することができる。蛍光ホイール１０１は、図示はしないが、蛍光発光領域と透過領域を、周方向に並設している。蛍光ホイール１０１の基材は銅やアルミニウム等の金属基材により形成することができる。この基材の励起光照射装置７０側の表面は銀蒸着等によってミラー加工されている。蛍光発光領域には、このミラー加工された表面に形成された緑色蛍光体層が形成される。蛍光発光領域は、励起光照射装置７０から青色波長帯域光を励起光として受けて、全方位に緑色波長帯域の蛍光を出射する。その蛍光の一部は直接集光レンズ１１１へ出射され、他の一部は蛍光ホイール１０１の反射面で反射した後に集光レンズ１１１へ出射される。
【００３２】
また、蛍光ホイール１０１の透過領域は、蛍光ホイール１０１の基材に形成された切抜部に、透光性を有する透明基材を嵌入して形成することができる。透明基材は、ガラスや樹脂等の透明な材料で形成される。また、透明基材には、青色波長帯域光が照射される側又はその反対側の表面に拡散層を設けてもよい。拡散層は、例えば、その透明基材の表面に、サンドブラスト等による微細凹凸を形成して設けることができる。透過領域に入射された励起光照射装置７０からの青色波長帯域光は、透過領域を透過又は拡散透過し、集光レンズ１１５に入射する。
【００３３】
集光レンズ群１１１は、励起光照射装置７０から出射された青色波長帯域光の光線束を蛍光ホイール１０１に集光するとともに蛍光ホイール１０１から右側パネル１４方向に出射された蛍光を集光する。集光レンズ１１５は、蛍光ホイール１０１から左側パネル１５方向に出射された光線束を集光する。
【００３４】
赤色光源装置１２０は、青色レーザダイオード７１と出射光の光軸が平行となるように配置された半導体発光素子である赤色発光ダイオード１２１と、赤色発光ダイオード１２１から出射された赤色波長帯域光を集光する集光レンズ群１２５と、を備える。赤色光源装置１２０は、赤色発光ダイオード１２１が出射する赤色波長帯域光の光軸と、蛍光ホイール１０１から出射されて第一ダイクロイックミラー１４１で反射された緑色波長帯域光の光軸とが交差するように配置される。励起光照射装置７０は、投影装置１０内に配置された冷却部６００等によって冷却される。赤色光源装置１２０とヒートパイプ６１０を介して接続される冷却部６００のヒートシンク６２０は、投影装置１０の前後方向における略中央側に配置される（図４参照）。
【００３５】
導光光学系１４０は、第一ダイクロイックミラー１４１，第二ダイクロイックミラー１４２，第三ダイクロイックミラー１４３、光線束を集光させる集光レンズ１４５，１４６，１４７、各光線束の光軸を変換して同一の光軸とさせる反射ミラー１４４等からなる。以下、各部材について説明する。
【００３６】
第一ダイクロイックミラー１４１は、拡散板７９と集光レンズ群１１１との間の位置に配置される。第一ダイクロイックミラー１４１は、青色波長帯域光を集光レンズ群１１１側へ透過するとともに、緑色波長帯域光を集光レンズ１４５方向に反射してその光軸を９０度変換する。
【００３７】
第二ダイクロイックミラー１４２は、緑色波長帯域光と赤色波長帯域光とを同一光軸に合成する合成手段であり、緑色波長帯域光を反射し、赤色波長帯域光を透過する。第一ダイクロイックミラー１４１で反射された緑色波長帯域光は、集光レンズ１４５で集光されて、第二ダイクロイックミラー１４２に入射する。
【００３８】
第二ダイクロイックミラー１４２で反射された緑色波長帯域光は、集光レンズ１４６で集光され、集光レンズ１４６の左側パネル１５側に配置された第三ダイクロイックミラー１４３に入射する。第三ダイクロイックミラー１４３は、赤色波長帯域光及び緑色波長帯域光を反射して、青色波長帯域光を透過する。従って、第三ダイクロイックミラー１４３は、集光レンズ１４６で集光された赤色波長帯域光及び緑色波長帯域光を集光レンズ１７３へ反射して、赤色波長帯域光及び緑色波長帯域光を導光する。
【００３９】
また、蛍光ホイール１０１における青色波長帯域光の照射領域が透過領域であるとき、青色レーザダイオード７１から出射された青色波長帯域光は蛍光ホイール１０１を透過し、集光レンズ１１５で集光された後に反射ミラー１４４に導光される。反射ミラー１４４は、蛍光ホイール１０１を透過又は拡散透過する青色波長帯域光の光軸上に配置される。反射ミラー１４４は、青色波長帯域光を反射してその光軸を背面パネル１３側に配置された集光レンズ１４７に導光する。第三ダイクロイックミラー１４３は、集光レンズ１４７により集光された青色波長帯域光を透過して、集光レンズ１７３に向けて導光する。
【００４０】
光源側光学系１７０は、集光レンズ１７３、ライトトンネル１７５、集光レンズ１７８、光軸変換ミラー１８１、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を投影光学系２２０に向けて出射するので、投影光学系２２０の一部でもある。
【００４１】
集光レンズ１７３は、ライトトンネル１７５の第三ダイクロイックミラー１４３側に配置される。集光レンズ１７３は、第三ダイクロイックミラー１４３から導光された緑色波長帯域光、青色波長帯域光及び赤色波長帯域光を集光する。集光レンズ１７３により集光された各色波長帯域光は、カラーホイール装置２００のカラーホイール２０１に照射される。
【００４２】
カラーホイール装置２００は、カラーホイール２０１と、そのカラーホイール２０１を回転駆動するモータ２１０とを備える。カラーホイール装置２００は、集光レンズ１７３から出射された光線束の光軸とカラーホイール２０１上の照射面が直交するように、集光レンズ１７３とライトトンネル１７５との間に配置される。
【００４３】
カラーホイール２０１は、円板状に形成され、モータ２１０により回転駆動することができる。カラーホイール２０１は、全色透過領域と、青赤透過領域とを周方向に並設している。全色透過領域は、青色波長帯域光、緑色波長帯域光及び赤色波長帯域光を透過させることができる。また、青赤透過領域は、青色波長帯域光及び赤色波長帯域光を透過することができる。カラーホイール２０１に入射した青色波長帯域光、緑色波長帯域光及び赤色波長帯域光は、全色透過領域又は青赤透過領域を透過して調光された後、ライトトンネル１７５に向かって導光される。ライトトンネル１７５に入射した光線束は、ライトトンネル１７５内で均一な強度分布の光線束となる。
【００４４】
ライトトンネル１７５の背面パネル１３側の光軸上には、集光レンズ１７８が配置される。集光レンズ１７８のさらに背面パネル１３側には、光軸変換ミラー１８１が配置される。ライトトンネル１７５の出射口から出射した光線束は、集光レンズ１７８で集光された後、光軸変換ミラー１８１により、左側パネル１５側に反射される。
【００４５】
光軸変換ミラー１８１で反射した光線束は、集光レンズ１８３により集光された後、照射ミラー１８５により、コンデンサレンズ１９５を介して表示素子５１に所定の角度で照射される。ＤＭＤである表示素子５１の下方前方側にはヒートシンク１９０が設けられる。表示素子５１は、このヒートシンク１９０により冷却される。
【００４６】
光源側光学系１７０により表示素子５１の画像形成面に照射された光源光は、表示素子５１の画像形成面で反射され、投影光として投影光学系２２０を介してスクリーンに投影される。ここで、投影光学系２２０は、コンデンサレンズ１９５と、レンズ鏡筒２３０内に設けられた可動レンズ群及び固定レンズ群により構成される。レンズ鏡筒２３０は、可変焦点型レンズとされ、ズーム調節やフォーカス調節が可能に形成される。可動レンズ群は、レンズモータ４５により自動で又は投影画像調整部１５ａにより手動で移動可能に形成される。
【００４７】
このように投影装置１０を構成することで、蛍光ホイール１０１及びカラーホイール２０１を同期回転させるとともに励起光照射装置７０及び赤色光源装置１２０から適宜のタイミングで光を出射すると、緑色、青色及び赤色の各波長帯域光が導光光学系１４０を介して集光レンズ１７３に入射され、光源側光学系１７０を介して表示素子５１に入射される。そのため、表示素子５１がデータに応じて各色の光を時分割表示することにより、スクリーンにカラー画像を投影することができる。
【００４８】
投影装置１０は、図示しない天吊り具と接続することにより、天井から吊った状態で投影することができる。図２に示すように、投影装置１０のケース１における底板１６には、天吊り具とねじ止めして固定される接続部１６ａ，１６ｂが夫々２か所ずつ、合計４か所に形成される。接続部１６ａ，１６ｂは、図２で見て底板１６の左側の上下に接続部１６ａが配置され、右側の上下に接続部１６ｂが配置される。以下、接続部１６ａが備える天吊り構造１６０について説明する。なお、接続部１６ｂは、端部にフランジを備えて螺子部を有した有底円筒状とされるインサートナット（図示せず）が底板１６に溶着により固定されて形成される。
【００４９】
図６に示すように、接続部１６ａに形成される天吊り構造１６０には、底板１６の外側面及び内側面に夫々ボス部１６ａ１，１６ａ２が形成される。ボス部１６ａ１，１６ａ２には、底板１６の内外面を貫通する孔部１６ａ３が形成される。この孔部１６ａ３に、インサートナット１６１が挿入され、固定される。インサートナット１６１は、銅合金等の金属材料により形成されて、適宜メッキ処理等が施され形成される。インサートナット１６１の取り付けは、孔部１６ａ３にインサートナット１６１を挿入した後にインサートナット１６１に熱を加えて、樹脂材料からなるケース１（底板１６）の孔部１６ａ３の内周面を溶融させる。このようにして、インサートナット１６１は、孔部１６ａ３の内周面と溶着し、固定される。
【００５０】
インサートナット１６１は、略円筒状の円筒本体１６１ａ（筒状部）を備える。円筒本体１６１ａの外面には、適宜の間隔で環状溝１６１ａ１が形成される。インサートナット１６１を底板１６に溶着し固定する際には、孔部１６ａ３の内周面の溶融樹脂が環状溝１６１ａ１と噛合って、インサートナット１６１の孔部１６ａ３への溶着固定を強固にすることができる。
【００５１】
インサートナット１６１の一方側であるケース１外壁の外部側の円筒本体１６１ａの内面には、第１雌螺子部１６１ｂが形成される。インサートナット１６１の他方側であるケース１外壁の内部側の円筒本体１６１ａの内面には、第２雌螺子部１６１ｃが形成される。第１雌螺子部１６１ｂは、底板１６の外側面に臨まれるよう配置される。また、第２雌螺子部１６１ｃは、第１雌螺子部１６１ｂよりも呼び径が小さく設定される。従って、第２雌螺子部１６１ｃは、第１雌螺子部１６１ｂよりも螺子長さを短く設定することができる。一方、第１雌螺子部１６１ｂと第２雌螺子部１６１ｃとの間には、仕切り壁１６１ｄが形成される。
【００５２】
円筒本体１６１ａの他方側の端部における外周面（換言すれば、インサートナット１６１における第２雌螺子部１６１ｃに対応する外周面端部）には、フランジ部１６１ｅが形成される。フランジ部１６１ｅは、ボス部１６ａ２の上面に形成される座繰り部に収められる。従って、ボス部１６ａ２の上面は環状平坦面とされる。フランジ部１６１ｅは、収められる座繰り部で底板１６と係止状態とされて、投影装置１０の天吊り時におけるケース１（すなわち筐体部分）の荷重が支持される。第２雌螺子部１６１ｃには、前述の板金部材１６２の螺子固定用の孔部１６２ａを介して第１の螺子１６３が螺合する。
【００５３】
また、板金部材１６２は、他の固定箇所において、光学ケース６１と共に底板１６に固定される。例えば、図４の光学ケース固定部６２では、図７に示す接続構造１６５が形成される。接続構造１６５は、図７で省略されている底板１６の内面から立設するボス部１６ｃを備える。ボス部１６ｃの上側には、大径孔部１６ｃ１が形成される。大径孔部１６ｃ１と連通する下方側には小径孔部１６ｃ２が形成される。大径孔部１６ｃ１には、板金部材１６２に形成されるバーリング形状の接続孔１６２ｂにおいて突出する円筒部１６２ｂ１が挿入される。板厚が薄いと螺子孔加工ができなくなるため、このようにバーリング加工孔の周りに立ち上がり加工をし、立ち上がり部分を設けて螺子孔加工を可能とする。板金部材１６２の接続孔１６２ｂの上面周囲に、光学ケース６１の固定用の孔部６１ｂが配置される。
【００５４】
ここで、板金部材１６２の接続孔１６２ｂにおける円筒部１６２ｂ１の外径は、ボス部１６ｃの大径孔部１６ｃ１の内径よりも十分に小さい。従って、円筒部１６２ｂ１と大径孔部１６ｃ１との間には隙間が形成される。光学ケース６１の孔部６１ｂ及び板金部材１６２の接続孔１６２ｂのボス部１６ｃ（樹脂等を含む）への固定は、第２の螺子１６６により行われる。接続孔１６２ｂ（円筒部１６２ｂ１）の内周面や小径孔部１６ｃ２の内周面は、当初は螺子溝が形成されておらず、接続孔１６２ｂと小径孔部１６ｃ２に亘ってタッピング螺子等の第２の螺子１６６をねじ込むことで螺子溝が形成されるセルフタップ構造１６７が形成される。
【００５５】
このように形成される接続構造１６５は、板金部材１６２と光学ケース６１、底板１６を固定する複数の光学ケース固定部に適用される。接続構造１６５により、板金部材１６２の接続孔１６２ｂの加工位置精度の許容範囲を広げることができる。すなわち、接続孔１６２ｂとボス部１６ｃの大径孔部１６ｃ１（小径孔部１６ｃ２）が芯ズレしていても、円筒部１６２ｂ１と大径孔部１６ｃ１との間の隙間によりある程度は当該芯ズレが吸収される。そして、セルフタップ構造１６７により、接続孔１６２ｂと小径孔部１６ｃ２に亘る螺子溝を形成して、光学ケース６１を板金部材１６２に固定すると共に底板１６にも固定して、強固に第２の螺子１６６をねじ止めすることができる。
【００５６】
以上、本発明の実施形態によれば、ケース１は、ケース外壁の一つとされる底板１６と、底板１６の接続部１６ａに形成された孔部１６ａ３に設けられ、円筒本体１６１ａ（筒状部）を含むインサートナット１６１と、を備える。インサートナット１６１は、底板１６の外部側の円筒本体１６１ａの内面に第１雌螺子部１６１ｂが形成され、底板１６の内部側に第１雌螺子部１６１ｂより呼び径が小さい第２雌螺子部１６１ｃと、フランジ部１６１ｅと、が形成される。
【００５７】
これにより、第２雌螺子部１６１ｃで光学ケース６１等の被収容体を接続することができ、天井からの吊り具はインサートナット１６１と接続できるので、ケース１にソルベントクラックが発生しても落下を防止することができるケース１を提供することができる。
【００５８】
さらに、第２雌螺子部１６１ｃに螺合する螺子の頭部は、第１雌螺子部１６１ｂに螺合する螺子の頭部よりも小さくすることができる。第２雌螺子部１６１ｃに螺合する螺子は、ケース１の内部に配置され、ケース１に収容される部材をねじ止めする螺子であるが、このように頭部を小さくすることができるので、ケース１に収容する機器のレイアウトの自由度を高めたケース１を提供することができる。
【００５９】
また、インサートナット１６１は、第１雌螺子部１６１ｂと第２雌螺子部１６１ｃとの間に仕切り壁１６１ｄが設けられる。これにより、室内空間に油成分が浮遊する飲食店等において、インサートナット１６１を通じて油成分がケース１の内部に侵入することを低減することができる。
【００６０】
また、第２雌螺子部１６１ｃには、底板１６の内部側に収められる光学ケース６１や電源等の被収容体が接続する板金部材１６２を介して第１の螺子１６３が螺合する。これにより、樹脂製のケース１のケース外壁（底板１６）を介すことなく、インサートナット１６１を介して、天吊り具と、重量物である被収容体が接続される板金部材１６２とを接続することができる。
【００６１】
また、被収容体が板金部材１６２に接続する接続構造は、板金部材１６２に形成されるバーリング形状の接続孔１６２ｂから底板１６の内面から立設するボス部１６ｃに亘って形成されるセルフタップ構造１６７と、このセルフタップ構造１６７と螺合する第２の螺子１６６と、を有する。これにより、被収容体は、底板１６に対して固定されると共に、板金部材１６２にも固定される。
【００６２】
また、投影装置１０は、天吊り構造１６０を有するケース１と、光源装置６０と、表示素子５１と投影光学系２２０と、投影装置制御部と、を有する。これにより、ケース１の内部で用いられる第２雌螺子部１６１ｃと螺合する螺子の頭部を小さくすることができる。従って、ケース１の内部に配置される光源装置６０や表示素子５１等の機器のレイアウトの自由度が向上した投影装置１０を提供することができる。即ち、インサートナット１６１を板金部材１６２に固定する第１の螺子１６３は、板金部材１６２の内側から取り付けられる。一方、板金部材１６２の内側には、光学ケース等の被収容体が取り付けられる。すると、インサートナット１６１を板金部材１６２に固定する第１の螺子１６３の頭部が大きかったり、皿付き螺子であったりする場合には、被収容体の板金部材１６２への取り付けに際して第１の螺子１６３が干渉する等により、被収容体のレイアウトに制約が生じるが、第１の螺子１６３の頭部を小さくすることで、機器のレイアウトの自由度を向上できる。
【００６３】
また、板金部材１６２を介してケース外壁に螺子止めされた複数個所のうち、インサートナット１６１が設けられた箇所は、一部の箇所である。なお、インサートナット１６１が設けられた箇所が１箇所の場合、インサートナット１６１が設けられた箇所は投影装置１０を平面視した際の重心付近としても良い。また、インサートナット１６１が設けられた箇所が２箇所の場合、２箇所のインサートナット１６１間を結んだ直線と平面視した投影装置１０の重心との距離が近く、インサートナット１６１が設けられた箇所が３箇所以上の場合、各インサートナット１６１を結んだ領域の範囲内に、平面視した投影装置１０の重心が位置するようにしても良い。
【００６４】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
以下に、本願出願の最初の特許請求の範囲に記載された発明を付記する。
［１］ケース外壁と、
前記ケース外壁に形成された孔部に設けられ、筒状部を含むインサートナットと、
を備え、
前記インサートナットは、前記ケース外壁の外部側の前記筒状部の内面に第１雌螺子部が形成され、前記ケース外壁の内部側に前記第１雌螺子部よりも呼び径が小さい第２雌螺子部と、フランジ部と、が形成されることを特徴とするケース。
［２］前記インサートナットは、前記第１雌螺子部と前記第２雌螺子部との間に仕切り壁が形成されることを特徴とする前記［１］に記載のケース。
［３］前記第２雌螺子部には、前記ケース外壁の内部側に収められる被収容体が接続する板金部材を介して第１の螺子が螺合することを特徴とする前記［１］又は前記［２］に記載のケース。
［４］前記板金部材に形成されるバーリング形状の接続孔から、前記ケース外壁の内面に立設するボス部に亘ってねじ込まれた第２の螺子を有することを特徴とする前記［３］に記載のケース。
［５］前記板金部材を介して前記ケース外壁に螺子止めされた複数個所のうち、前記インサートナットが設けられた箇所は、一部の箇所であることを特徴とする前記［３］又は前記［４］に記載のケース。
［６］前記［１］乃至前記［５］の何れかに記載のケースと、
光源装置と、
前記光源装置からの光源光が照射され、画像光を形成する表示素子と、
前記表示素子から出射された前記画像光をスクリーンに投影する投影光学系と、
前記表示素子と前記光源装置を制御する投影装置制御部と、
を有することを特徴とする投影装置。
［７］前記インサートナットが設けられた箇所が１箇所の場合、前記インサートナットが設けられた箇所は装置を平面視した際の重心付近であり、
前記インサートナットが設けられた箇所が２箇所の場合、２箇所の前記インサートナット間を結んだ直線と平面視した装置の重心との距離が近く、
前記インサートナットが設けられた箇所が３箇所以上の場合、各前記インサートナットを結んだ領域の範囲内に、平面視した装置の重心が位置することを特徴とする前記［６］に記載の投影装置。
【符号の説明】
【００６６】
１          ケース                      １０        投影装置
１１        上面パネル                  １２        正面パネル
１２ａ      光出射部                    １２ｂ      高さ調整ボタン
１２ｃ      支脚                        １３        背面パネル
１４        右側パネル                  １５        左側パネル
１５ａ      投影画像調整部              １６        底板
１６ａ      接続部                      １６ａ１    ボス部
１６ａ２    ボス部                      １６ａ３    孔部
１６ｂ      接続部                      １６ｃ      ボス部
１６ｃ１    大径孔部                    １６ｃ２    小径孔部
２１        入出力コネクタ部            ２２        入出力インターフェース
２３        画像変換部                  ２４        表示エンコーダ
２５        ビデオＲＡＭ                ２６        表示駆動部
３１        画像圧縮／伸長部            ３２        メモリカード
３５        Ｉｒ受信部                  ３６        Ｉｒ処理部
３７        キー／インジケータ部        ３８        制御部
４１        光源制御回路                ４３        冷却ファン駆動制御回路
４５        レンズモータ                ４７        音声処理部
４８        スピーカ                    ５１        表示素子
６０        光源装置                    ６１        光学ケース
６１ｂ      孔部                        ６２        光学ケース固定部
７０        励起光照射装置              ７１        青色レーザダイオード
７２        素子ホルダ                  ７３        コリメータレンズ
７７        集光レンズ                  ７８        集光レンズ
７９        拡散板                      ８０        緑色光源装置
１００      蛍光ホイール装置            １０１      蛍光ホイール
１１０      モータ                      １１１      集光レンズ群
１１１      集光レンズ                  １１５      集光レンズ
１２０      赤色光源装置                １２１      赤色発光ダイオード
１２５      集光レンズ群                １４０      導光光学系
１４１      第一ダイクロイックミラー    １４２      第二ダイクロイックミラー
１４３      第三ダイクロイックミラー    １４４      反射ミラー
１４５      集光レンズ                  １４６      集光レンズ
１４７      集光レンズ                  １６０      天吊り構造
１６１      インサートナット            １６１ａ    円筒本体（筒状部）
１６１ａ１  環状溝                      １６１ｂ    第１雌螺子部
１６１ｃ    第２雌螺子部                １６１ｄ    仕切り壁
１６１ｅ    フランジ部                  １６２      板金部材
１６２ａ    孔部                        １６２ｂ    接続孔
１６２ｂ１  円筒部                      １６３      第１の螺子
１６５      接続構造                    １６６      第２の螺子
１６７      セルフタップ構造            １７０      光源側光学系
１７３      集光レンズ                  １７５      ライトトンネル
１７８      集光レンズ                  １８１      光軸変換ミラー
１８３      集光レンズ                  １８５      照射ミラー
１９０      ヒートシンク                １９５      コンデンサレンズ
２００      カラーホイール装置          ２０１      カラーホイール
２１０      モータ                      ２２０      投影光学系
２３０      レンズ鏡筒                  ２４１      回路基板
２４２      制御回路基板                ３１０      吸気口
３２０      吸気口                      ３３０      排気口
４０１      排気ファン                  ４０２      排気ファン
４０３      排気ファン                  ５００      冷却部
５１０      ヒートパイプ                ５２０      ヒートシンク
６００      冷却部                      ６１０      ヒートパイプ
６２０      ヒートシンク                ＳＢ        システムバス
【図１】
2020161510.tif 000003
【図２】
2020161510.tif 000004
【図３】
2020161510.tif 000005
【図４】
2020161510.tif 000006
【図５】
2020161510.tif 000007
【図６】
2020161510.tif 000008
【図７】
2020161510.tif 000009